(57)【要約】【解決課題】立体的形状とストレッチ構造を採用することによって、より一層人体のヒップ部に馴染み易く、装着感及び整形性が良好であって、しかも着用状況が表着に響くことがないのは勿論のこと、通気性、速乾性、吸汗性に優れ、且つ、スレッチ性が良く、軽くてソフトな女性用パットを提供することを課題とする。【解決手段】人体の膨出部に被着する衣服の内側に装着して使用される女性用パットにおいて、発泡体の圧縮率を複数段階に変化させて、各圧縮率に応じて発泡体を複数回スライスすることにより、周縁部がテーパ状に薄く、かつ複数に分割自在に形成されたパット本体と、このパット本体の表裏両面を被覆する伸縮性を有する素材からなる表地及び裏地とを備えるように構成して課題を解決した。【選択図】  図１
2005023459.tif 000002
【特許請求の範囲】
【請求項１】
人体の膨出部に被着する衣服の内側に装着して使用される女性用パットにおいて、発泡体の圧縮率を複数段階に変化させて、各圧縮率に応じて発泡体を複数回スライスすることにより、周縁部がテーパ状に薄く、かつ複数に分割自在に形成されたパット本体と、このパット本体の表裏両面を被覆する伸縮性を有する素材からなる表地及び裏地とを有し、上記表地及び裏地は、パット本体よりも大きく形成され、テーパ状に薄く形成されたパット本体の周縁部の外側において、当該表地及び裏地の周縁部がパット本体を介在させずに互いに接合されたことを特徴とする女性用パット。
【請求項２】
前記発泡体は、特性又は材質の異なる複数の発泡体を積層して構成されていることを特徴とする請求項１記載の女性用パット。
【請求項３】
前記複数に分割自在に形成されたパット本体は、互いに接合される面が同一形状に形成されていることを特徴とする請求項１又は２記載の女性用パット。
【請求項４】
前記材質の異なる複数の発泡体は、別々のスライス工程によって形成されることを特徴とする請求項１記載の女性用パット。
【請求項５】
前記発泡体は、互いに圧接されるメス型とオス型、及び両者の間に介在される受け型とを用いて、前記メス型と受け型との接合面でスライスすることによって成形されることを特徴とする請求項１記載の女性用パット。
【発明の詳細な説明】
【０００１】
【発明の属する技術分野】
この発明はショーツ、パンティストッキング、ガードル、ブラジャーあるいはボディーウエアー等の被服の内側に装着して使用されるヒップパットやバストパット等の女性用パットに関し、特に体へのフィット性を向上させるとともにその形状が表着に響くことのない女性用パットに関するものである。
【０００２】
【特許文献１】特開平９−２７３００６号公報
【０００３】
【従来の技術】
従来、この種の女性用パットのうち、たとえばヒップパットは、比較的平面的な女性の体のヒップ部にめりはりを付け、人体のヒップ部の整形性を向上させるとともにヒップアップ機能等を発揮させ、整美効果を高めるために使用されている。かかるヒップパットＰとしては、図３８に示すように、ポリウレタン発泡体やポリエチレン発泡体等からなるパット本体１００を、加熱成形等により所定の形状に成形し、当該パット本体１００の表裏両面を綿やポリエステル等からなる表地１０１によって被覆して構成したものがある。
【０００４】
しかし、上記ヒップパットＰは、ポリウレタン発泡体やポリエチレン発泡体等からなるパット本体１００を、加熱成形等によって所定の形状に成形し、当該パット本体１００の表裏両面を綿やポリエステル等からなる表地１０１によって被覆して構成したものであるため、パット本体１００をある程度立体的に成形しても、このパット本体１００の表裏両面を被覆する表地１０１が綿やポリエステル等のストレッチ性の無い布地からなるので、ヒップパットＰ全体を人体１０２にフィットした３次元形状に形成維持することが困難である。そのため、ヒップパットＰは、図３８に示すように、人体のヒップ部１０２に馴染みずらく、良好な装着感及び整形性を得ることができず、結果としてヒップパットＰの装着状況が表着に響き易いという問題点があった。また、上記の如く、パット本体１００の表裏両面を被覆する表地１０１が綿やポリエステル等のストレッチ性の無い布地からなるため、ヒップパットＰの端部では、図３９に示すように、ポリウレタン発泡体等からなるパット本体１００が露出し易く、これを防止するためには、ヒップパットＰの端部に縁取りのカバー１０３を設ける等の処理が必要となり、その分製造コストが高くなるとともに整形性が低下するという問題点もあった。
【０００５】
そこで、本出願人は、上記の問題点を解決し、立体的形状とストレッチ構造を採用することによって、より一層人体のヒップ部に馴染み易く、装着感及び整形性が良好であって、しかも着用状況が表着に響くことのないエッジ構造を有するヒップパットを提供するため、特開平９−２７３００６号公報に係るヒップパットを既に提案している。
【０００６】
この特開平９−２７３００６号公報に係るヒップパットは、人体のヒップ部に被着する衣服の内側に装着して使用されるヒップパットにおいて、所定のヒップ形状に形成された連続気泡構造の発泡体からなり、発泡成形、スライス及びカット成形、モールド成形、スライス及びカットとモールドによる合成成形等によって、周縁部がテーパ状に薄く形成されたパット本体と、このパット本体の表裏両面を被覆する伸縮性を有する素材からなる表地及び裏地とを有し、上記パット本体と表地とを一体的又は別個にプレス加工して立体的に成形するとともに、上記表地及び裏地はパット本体よりも大きく形成され、テーパ状に薄く形成されたパット本体の周縁部の外側において、当該表地及び裏地の周縁部がパット本体を介在させずに互いに接合するように構成したものである。
【０００７】
【発明が解決しようとする課題】
しかしながら、上記従来技術の場合には、次のような問題点を有している。すなわち、上記特開平９−２７３００６号公報に係るヒップパットの場合には、当該パット本体の周縁部がテーパ状に薄く形成されているため、縁を薄く形成することができるものの、連続気泡構造の発泡体からなるパット本体をプレス加工して立体的に成形すると、発泡体が潰れてしまい、通気性が低下するとともに、速乾性が低下するばかりか、吸汗性も低下するという問題点を有していた。
【０００８】
また、上記特開平９−２７３００６号公報に係るヒップパットの場合には、連続気泡構造の発泡体からなるパット本体をプレス加工して立体的に成形すると、発泡体が潰れて、当該発泡体の剛性が増すために、ストレッチ性が低下したり、軽くてソフトなヒップパットを提供することができないという問題点を有していた。
【０００９】
さらに、上記特開平９−２７３００６号公報に係るヒップパットの場合には、パット本体が連続気泡構造の発泡体からなり、発泡成形、スライス及びカット成形、モールド成形等によって形成されているため、ヒップパットの厚みを調整することができず、形状的には人体に馴染み易いものの、個々の個人差に対応して厚みを調整することはできず、整形性の点で限界があるという問題点を有していた。
【００１０】
そこで、この発明は、上記従来技術の問題点を解決するためになされたもの  で、その目的とするところは、立体的形状とストレッチ構造を採用することによって、より一層人体のヒップ部に馴染み易く、装着感及び整形性が良好であっ  て、しかも着用状況が表着に響くことがないのは勿論のこと、通気性、速乾性、吸汗性に優れ、且つ、スレッチ性が良く、軽くてソフトな女性用パットを提供することにある。
【００１１】
さらに、この発明の目的とするところは、女性用パットの厚みを容易に調整することができ、個々の体型に対応することができ、整形性に優れた女性用パットを提供することにある。
【００１２】
【課題を解決するための手段】
すなわち、請求項１に記載された発明は、図３５に示すように、人体の膨出部ａに被着する衣服の内側に装着して使用される女性用パットｂにおいて、発泡体の圧縮率を複数段階に変化させて、各圧縮率に応じて発泡体を複数回スライスすることにより、周縁部がテーパ状に薄く、かつ複数に分割自在に形成されたパット本体ｃ，ｄと、このパット本体ｃ，ｄの表裏両面を被覆する伸縮性を有する素材からなる表地ｅ及び裏地ｆとを有し、上記表地ｅ及び裏地ｆは、パット本体  ｃ，ｄよりも大きく形成され、テーパ状に薄く形成されたパット本体ｃ，ｄの周縁部の外側において、当該表地ｅ及び裏地ｆの周縁部がパット本体ｃ，ｄを介在させずに互いに接合されたことを特徴とする女性用パットである。
【００１３】
ここで、パットをカバーする表地ｅは、特に限定されるものではないが、当該パット本体ｃ，ｄは、原則として、人体により密着し且つ人体伸張に順応することが好ましいことから、当該表地ｅもパット本体ｃ，ｄに同調する伸張率が必要である。また、上記表地ｅは、当該パット本体ｃ，ｄと同一形状であると同時  に、パット本体ｃ，ｄに必要以上の圧力が加わらないことが好ましい。特に、着座時等における人体の膨張に無理なく順応することが望ましい。更に、上記の条件を考慮すれば、当該パット本体ｃ，ｄと製品との間には、伸張のずれを発生することから、製品に悪影響を与えないためにも、極力摩擦度の少ない滑りやすい表面を備えることが好ましい。又、上記表地ｅは、独立体の場合はパット本体  ｃ，ｄのエッジの段差が製品に響かないことが好ましいことから、当該表地ｅの形状は、少なくともパット本体ｃ，ｄより大きいことが好ましい。さらには、当該表地ｅそのものを製品の裏地と一体化してデザインすることにより、完全にパット本体ｃ，ｄのエッジを消すように構成するのが望ましい。
【００１４】
一方、上記裏地ｆは、表地ｅよりも以前に人体に直接連動するものであることから、当然表地ｅと同様な人体の伸張に同調する必要があると同時に、素材特性は、吸湿性、通気性、ソフト性等を有し、衛生的にあることが好ましい。また、上記裏地ｆは、表地ｅと同様に、パット本体ｃ，ｄ形状より大きく形成し、パット体ｃ，ｄのエッジと同一線上にエッジをデザインしないことが好ましい。さらに、上記表地ｅと同様に、当該裏地ｆそのものを製品の裏地と一体化させることが好ましい。特に、ガードルにおいては、表地と異なり逆に補正機能を持った裏地と一体化することにより、より好ましいものとなる。
【００１５】
また、上記パットをカバーする表地ｅは、パット本体ｃ，ｄの表面形状に合わせたモールド成形によって先に形成し、且つ裏地ｆは、パット本体ｃ，ｄの裏面形状にわせたモールド成形により形成した後、パット本体ｃ，ｄを挟持し、パット本体ｃ，ｄの輪郭部を（パット体よりも大きめの部分を）プレス接着することが好ましい。その際、上記表地ｅ及び裏地ｆは、内面側に樹脂を塗布（又はホットメルト加工を）し、パット本体の成形時に同時プレス接着しても良いし、さらには、パット本体の裏面に当該樹脂加工を施した上、裏地ｆにコーティングしても良い。
【００１６】
さらに、上記パットをカバーする表地ｅ及び裏地ｆは、表裏輪郭形状を同一形状とせず、カバー体自体の段差を考慮することは好ましい。この場合には、上記樹脂コーティングは、当該形状の小さい側に行なうことが好ましい。
【００１７】
また更に、上記パットをカバーする表地ｅ及び裏地ｆは、当該発明のポイントである分割パットを、挿入させるための挿入口を表地ｅ及び裏地ｆの何れかまたは表裏上層部に設けるのが望ましい。
【００１８】
さらに、上記パット本体ｃ，ｄについては、ヒップパットを例に説明すると、女性用パットにおける概ねの基本使命は、人体の美学的シルエットを造形することを原則とするが、当然当該ヒップパットとバストパット等とは、装着する人体部位の生理的且つ皮脂的構成、更には外因との物理的且つ接触的因子が異なることから、当然構成内容は、異なることを前提とするスリーブ方式（はめ込み方  式）による複数個のパット構造体である。
【００１９】
上記パット本体ｃ，ｄは、理想シルエットを人体に融和する物理的条件をベースに、造形且つ靜的は勿論動的においてもこれを保つことを基本条件とする皮脂的役割を負うものである。つまり、個人的皮脂の不足をこれにはめ込むパット本体（分割されたパット本体）で補うという技術的思想に基づくものである。
【００２０】
また、上記パット本体ｃ，ｄは、当該皮脂的役割（人体部位によって異なる）を、当該基本的材料となる発泡体の組成（弾性や伸張力等）並びに発泡密度によって選定される。特に、ヒップ部は、伸張率の高いラテックス系の材料が好ましい。さらには、発泡体の硬度を高めるためには、発泡体を二次的に圧縮して使用しても良い。
【００２１】
また、上記パット本体ｃ，ｄの形状は、当該基本的な発泡材をスライス方式又はスライスとモールド方式によってよりシビアなシルエットをデザインしても良いが、装着時に、着用者のボディにより美しいラインを持って連接されることが好ましいことから、当該パット体と人体接点に段差を生まないエッジのスムースなマイナス化をポイントとする。さらに、当該発明のポイントである複数個のパット体をはめ込むことを前提とした内面形状を必要とする。
【００２２】
上記複数に分割されたパット本体ｃ，ｄは、図３６に示すように、皮脂的役割を担うパット本体ｃと、当該パット本体の内面にセットされ脂質的な役割を負うものであるパット本体ｄとからなり、本体としてのパット本体の皮脂的な役割とは当然異なるものである。本体としてのパット体は、理想とするシルエットを形成する皮脂としての張力弾性を必用とし、分割されたパット本体は、当該理想とするシルエットを構成するパット本体と人体との空間（脂質的不足量）を補うもので、製品的には汗腺の役割を担う内気コントロール（通気性）並びに脂質の質量を担う嵩高性と人体骨格の移動に伴う伝導性並びに吸収性、さらには外的圧迫に対する復元性等が求められ、相対的にはソフト性と柔軟性を有することが望ましい。
【００２３】
上記パット本体ｃ，ｄの形状は、当然パット本体の外面シルエットを損なうことや、異質的であってはならない。また、パット本体の内面に一体化すると共  に、人体とのジョイント的密着性が求められる。
【００２４】
なお、ブラジャー用のパットやヒップパットでも、スカートの内面に着用するレベルのパットであれば、パット外面から受ける圧力は、原則的に大きくはないことから、靜的（固定的）で良い。また、パット本体の弾性及び嵩高性は求められるが、伸張率は低くても良い。但し、ブラジャー用のパットにおいては、皮脂質と脂質の構成関係は、重要と言える。また、上記靜的パットの場合、逆にパット本体を脂質的ソフト性を持たせ、分割パット本体を皮脂的物性にしても良い。
【００２５】
本発明は、内面形状を有する複数のパット体の組合せによって、理想的な人体のシルエットを形成する外面に位置するパット体に対し、当該外面に位置するパット本体と人体との空間を埋める分割されるパット本体との組み合わせによって得られるパットである。
【００２６】
上記パットの製造方法としては、スライス方式により形成型の段階的圧力設計によって、内面を１つとして、複数個のパット体を作成する方法が挙げられる。
【００２７】
また、人体の理想とするシルエットのパット内面形状を、外面金型形状として作成する分割されるパット本体、更には当該分割されるパット本体の内面形状  を、外面金型形状として作成するプレス又はスライスさらにはこれらの組合せによる製造方法が挙げられる。
【００２８】
さらに、上記パット本体のシルエットは、人体の皮脂シルエットに段差無く形成される構成（理想シルエットを維持し人体シルエットに限りなくゼロで結ばれるアウトラインを持った構成であることの造形性を満たすことが望ましい。
【００２９】
また、上記複数のパット体の基本的な組み合わせは、人体皮脂に順ずる特性を兼ね備えた組み合わせであることの機能性を有することが望ましい。つまり、皮脂的弾性と張力を持った本体としてのパット体ｃに、脂質の役割を持った分割されたパット本体ｄからなり、当該特性をデザインするためには、発泡体の密度をデザインによるソフト性やハード性、又は組成的デザインによる弾性と伸張性を持たせることが望ましい。
【００３０】
これに伴うパット本体の材質は、当該皮脂特性である弾性及び伸張性と、脂質特性である生理性をカバーできる通気性と柔軟性をデザインするために、主体を発泡体とすることが良い。
【００３１】
さらには、当該パット本体のカバー方法又は製品に構成させる方法としては、種々の方法がある。最小的なカバー体であってもよいし、パット体よりも３ｍｍ以上大きく設計し、パット本体のエッジと一線上にしない、さらにはカバー体表裏エッジを一線上にデザインしない、更には製品裏地又は製品コントロールクロスに一体化させる、さらには製品表裏中間にセット同時に成形する等が挙げられる。
【００３２】
なお、上記パットのセット方法としては、図３７に示すように、表地及び裏地で被覆したものを単独で挿入等により使用する方法、表地又は裏地の一部を製品に縫い止めする方法、あるいは製品と製品裏地との２枚構成を生かして、パットのアウトラインを接着して製品の裏当て構造と一体化させる方法等がある。
【００３３】
また、本発明は、女性用パットにポイントを置くが、男性用並びにサポーター等にも転用可能である。
【００３４】
また、請求項２に記載された発明は、前記発泡体が、特性又は材質の異なる複数の発泡体を積層して構成されていることを特徴とする請求項１記載の女性用パットである。
【００３５】
さらに、請求項３に記載された発明は、前記複数に分割自在に形成されたパット本体は、互いに接合される面が同一形状に形成されていることを特徴とする請求項１又は２記載の女性用パットである。
【００３６】
又、請求項４に記載された発明は、前記材質の異なる複数の発泡体が、別々のスライス工程によって形成されることを特徴とする請求項１記載の女性用パットである。
【００３７】
更に、請求項５に記載された発明は、前記発泡体が、互いに圧接されるメス型とオス型、及び両者の間に介在される受け型とを用いて、前記メス型と受け型との接合面でスライスすることによって成形されることを特徴とする請求項１記載の女性用パットである。
【００３８】
この発明において使用するパット本体としては、例えば、弾性とカサ高性を備えるように、連続気泡構造のウレタンフォーム等からなる発泡体が用いられる  が、このウレタン発泡体等自体も伸長率５０％以上２５０％以下であることが望ましい。また、このパット本体には、ヒップパットとしての保形性が高いことに加えて、軽量であってより通気性があることが要求される。そのため、上記パット本体としては、ウレタンフォーム発泡体、ポリエチレン発泡体、ポリ塩化ビニル発泡体等の合成樹脂発泡体を用いることができ、特にウレタンフォーム発泡体が好ましい。
【００３９】
さらに、上記パット本体の表面を被覆する表地及び裏地は、必要に応じてモールド成形されるため、これら表地及び裏地としては、セット性（成形性）の良い合成繊維（ポリエステル繊維等）が使用された編物が一般的に使用される。ま  た、上記表地及び裏地は、伸縮性を持たせることがポイントであることから、スパンデックス等のストレッチ性のある繊維を編成（一般的には挿入）することが望ましい。さらに説明すると、パット本体の表面を被覆する表地及び裏地としての編組織は、スパンデックス等の弾性糸を編成したストレッチ性のあるトリコット及びラッセル縦編機によって得られた編地又は丸編地や布地等の伸縮性を有する素材からなるものであれば、如何なるものでも良いが、それが人体に直接的あるいは間接的に触れるものであるから好ましくはサテン組織等の肌触りの良いものであることが望ましい。また、上記パット本体の表面を被覆する表地は、衣料等のスベリを良くすること及び摩擦に強いこと並びに熱成形性の良いことが望ましいことから、スパンデックスに交編される繊維は、合成繊維が良く、裏地は肌への影響からこれら合成繊維と天然繊維との交編、混紡糸等が用いられるが、これに限定されるものではない。
【００４０】
上記表地及び裏地としての編組織は、スパンデックス糸等のストレッチ性を有する糸を使用する場合、このスパンデックス糸（ストレッチ糸）は、一般的には編糸に使用するのではなく、図３０に示すように編組織に挿入する方法が採られる。この図３０の場合には、スパンデックス糸をそのまま又はナイロン糸等によってカバーリングを施して、タテ糸に挿入したものである。また、図３０乃至図３２に示すように、編糸自体にスパンデックス糸等のストレッチ性を有する糸を使用しても良い。また、上記表地及び裏地は、肌当たりを良くするために、編糸自体に綿糸又は混紡糸等を使用してもよく、カバーリング糸に混紡糸等を使用するようにしても良い。
【００４１】
一方、上記表地及び裏地として織物地を使用する場合には、図３３に示すように、ヨコ糸にスパンデックス糸等のストレッチ性を有する糸を、そのまま又はナイロン糸等によってカバーリングを施して使用する。その際、タテ糸には、熱セット性（成形性）を高めるために、ポリエステル糸を使用するのが望ましい。また、熱成形を行う場合には、上記表地及び裏地として編組織及び織物地を使用する場合ともに、必ずセット性の良いポリエステル糸等が５０％以上のウエイトを占めるように設定される。また、上記表地及び裏地として編組織を使用する場合には、図３４に示すように、地糸にスパンデックス糸等のストレッチ性を有する糸を、ジグザグに編み込んだサテンネットからなる立て編みの編組織を用いても良い。このようなストレッチ性を有する糸を編み込んだサテンネットからなる編組織を用いた場合には、ヒップパットの伸縮性及び装着感を一層良好とすることができる。
【００４２】
また、この発明のヒップパットを製造するには、パット本体、表地及び裏地をそれぞれ別個に用意してこれらを適当な接着剤で貼り合わせるか縫着しても良いが、好ましくは表地及び裏地の内面に耐洗濯性及び耐溶剤性を有すると共に加熱圧縮することにより接着性を発揮する合成樹脂を多数の粒子状又はネット状に塗布して、伸縮性を失わないように合成樹脂層を形成し、この合成樹脂層を利用してパット本体を表地及び裏地で被覆する方法がある。なお、上記接着性を発揮する合成樹脂は、伸縮性及び通気性を失わない状態であれば、フィルム状又はフィルム状と粒子状等の組み合わせによって塗布しても良い。上記合成樹脂層は、予め表地又は裏地にラミネートしておくと、作業性を高めることができる。また、上記パット本体がポリウレタン等の黄変性のある材質からなる場合には、発泡体の耐洗濯性及び耐光性（黄変性）を高めるため、適度な顔料を塗布することが望ましい。
【００４３】
ところで、上記女性用パットを人体又は衣服に止着する止着手段としては、例えば小さい鉤形状の部材を多数密に植設した部材と、ループ状の起毛を多数密に植設した部材とからなるマジックファスナー（登録商標）（登録商標）を用いることができ  る。この場合には、衣服の内側にループ状の起毛を多数密に植設した部材を配置し、ヒップパットの外面に小さい鉤形状の部材を多数密に植設した部材を配置するのが好ましい。こうすることによって、ヒップパットを取り外した状態で体に直接接触する衣服を着用しても、体に接触する部分にはループ状の起毛を多数密に植設した部材が位置するため、肌に柔らかく当たり装着感が良好となる。
【００４４】
また、上記止着手段としては、これに限定されるものではなく、ベルトやフック等を用いても良く、あるいは衣服の内側又は外側にポケット構造を持たせ、このポケット構造の内部に女性用パットを挿入するようにしても良く、また直接衣服にヒップパットの一部又は全部を縫い止めするようにしても良い。
【００４５】
【作用】
この発明においては、女性用パットを構成する主たる構成要素であるパット本体が、発泡体の圧縮率を複数段階に変化させて、各圧縮率に応じて発泡体を複数回スライスすることにより、周縁部がテーパ状に薄く形成されているため、基本的にモールド成形等を施さずに、周縁部を所望の湾曲形状にテーパ状に薄く形成することができ、発泡体の組織が潰されることがないので、通気性、速乾性、吸汗性に優れ、且つ、スレッチ性が良く、軽くてソフトな女性用パットを提供することができる。
【００４６】
また、上記女性用パットのパット本体は、複数に分割自在に形成されているため、使用する女性の体形に応じて、複数に分割自在に形成されたパット本体の一部を着脱して使用することができ、女性用パットの厚みや形状を容易に調整することができ、個々の体型に対応することができ、整形性に優れた女性用パットを提供することができる。
【００４７】
また、上記女性用パットは、発泡体の圧縮率を複数段階に変化させて、各圧縮率に応じて発泡体を複数回スライスすることにより、周縁部がテーパ状に薄く形成されたパット本体と、このパット本体の表裏両面を被覆する伸縮性を有する素材からなる表地及び裏地とを有し、上記表地及び裏地はパット本体よりも大きく形成され、テーパ状に薄く形成されたパット本体の周縁部の外側において、当該表地及び裏地の周縁部がパット本体を介在させずに互いに接合するように構成されているので、当該女性用パットは、人体の膨出部に合った立体的形状に形成することができるとともに、パット本体を被覆する表地及び裏地として伸縮性を有する素材を用いているため、表地及び裏地が伸び縮みしてパット本体の形状に沿った形を維持し、この点から当該女性用パットは、人体の膨出部に合った立体的形状に形成することができる。しかも、上記表地及び裏地は、パット本体よりも大きく形成され、テーパ状に薄く形成されたパット本体の周縁部の外側におい  て、当該表地及び裏地の周縁部がパット本体を介在させずに互いに接合するように構成されているので、ヒップパットの端部が自然な感じで人体のヒップ部に馴染み、着用状況が表着に響くことがない。そのため、より一層人体に馴染み易  く、装着感及び整形性が良好であって、しかも着用状況が表着に響くことのないエッジ構造を有する女性用パットを提供することができる。
【００４８】
【発明の実施の形態】
以下、添付図面に示すこの発明の一実施の形態に基づいて、この発明を具体的に説明する。
【００４９】
図１乃至図４において、この発明の一実施の形態に係る女性用パットとしてのヒップパットＰが示されている。このヒップパットＰは、ウレタンフォーム等の発泡体で形成されたパット本体１と、このパット本体１を包み込むように被覆するスパンデックス等の伸縮性を有する表地２ａ及び裏地２ｂと、これらの表地２ａ及び裏地２ｂの内面にラミネート加工によって固着され、上記パット本体１を密封するとともに、表地２ａ及び裏地２ｂの周縁部を互いに接着するフィルム層３とで形成されている。
【００５０】
上記パット本体１としては、弾性とカサ高性を備えるように、連続気泡構造のウレタンフォーム等からなる発泡体が用いられる。また、このパット本体１に  は、ヒップパットとしての保形性が高いことに加えて、軽量であってより通気性があることが要求され、この点からも連続気泡構造のウレタンフォームからなる発泡体が用いられる。そして、上記パット本体１は、図１に示すように、スライス加工等によってヒップパットＰの両方の膨出部の基本形状に合わせてそれぞれ裁断され、その周縁部は、テーパ状に薄くなるように形成されている。
【００５１】
上記パット本体１のスライス加工等は、次のようにして行われる。すなわち、上記パット本体１を形成する発泡体としては、図５に示すように、まず、所定の厚さに形成された平板状の発泡体４０を用意する。この平板状の発泡体４０としては、所望の発泡率及び弾性率を有する連続気泡構造のウレタンフォームが用いられる。
【００５２】
また、上記発泡体を成形する成形型としては、図６（ａ）に示すように、メス型５１と、受け型５２と、オス型５３と、プレス機５４とからなるものが用いられる。上記メス型５１は、成形するパット本体１の内側の表面形状と同形状か、または内側の表面の形状よりも所定の寸法だけ小さく形成されており、発泡体４０を圧縮した状態で収納するように構成されている。このメス型５１の材質は、特に限定されるものではない。また、上記受け型５２は、主に、パット本体１の中央部分の厚みを出すために用いられるものであり、必ずしも使用する必要はない。
【００５３】
さらに、上記オス型５３は、成形するパット本体１の外側の表面形状を決定する形状に形成されており、発泡体４０を圧縮した状態で収納するように構成されている。また、このオス型５３の材質も、特に限定されるものではない。
【００５４】
また、上記プレス機５４は、オス型５３をメス型５１に向けて所定の圧力で押圧するものであり、当該プレス機５４の押圧力を調整することによって、パッド本体１の特に周縁部の厚みの変化具合を変えることが可能となる。つまり、上記発泡体４０は、次に述べるように、プレス機５４で圧縮された状態でカッター６０によってスライスカットされるため、カットされるときの発泡体４０の圧縮状態によって、カットされて圧縮状態が解除された後の厚みの変化状態が異なる。これに加えて、パット本体１の厚みの変化状態は、オス型５３とメス型５１の形状を変えることによって、無段階にかつ任意の形状に設定することが可能とな  る。
【００５５】
上記発泡体４０をメス型５１及び受け型５２と、パット本体１の外側の形状を決めるオス型５３との間に配置した後、図６（ｂ）に示すように、オス型５３を発泡体４０を介してメス型５１側に圧縮するように移動させ、図７（ａ）に示すように、発泡体４０の表面にパット本体１の内形に対応した凹所４１を形成す  る。その後、図７（ｂ）に示すように、発泡体４０から切除片４２を除去した  後、上記凹所４１が形成された発泡体４０を、再度メス型５１及び受け型５３  と、パット本体１の外側形状を決めるオス型５３との間に配置した後、オス型５３を発泡体４０を介してメス型５１側に１回目の圧力ａよりも高い圧力ｂ（ｂ＞ａ）で圧縮するように移動させ、発泡体４０の表面にパット本体１の外形に対応した凹所４３を形成する。こうすることによって、図７（ｂ）に示すような基本体なパット本体１が形成される。
【００５６】
次に、上記の如く形成されたパット本体１は、図７（ｂ）に示す工程と同様  に、但し第２回のカットよりも低い圧力で圧縮することによって、図８に示すように、当該パット本体１が２つに分割される。
【００５７】
つまり、上記パット本体１を凹所４３が形成された発泡体４０に収容したままの状態で、第３回目のカット作業を、図７（ｂ）に示すカット工程と同様に、但し圧力を２回目よりも低い圧力に設定して施すことによって、パット本体１をパット本体１ａと１ｂとに２つに分割する。これらのパット本体１ａ及び１ｂは、体型等に応じて２層のパット本体のうち、一方のパット本体のみを使用することができる。
【００５８】
なお、カット工程は、パット本体１を形成した後、２つに分割するのではな  く、パット本体１を内側から順にカットするように構成しても良い。
【００５９】
上記の如く構成されるパット本体１は、図２に示すように形成される。このパット本体１は、そのまま使用してもよいが、図９に示すように、切り出したパット本体１をメス型７１とオス型７２で通気性、速乾性、吸汗性、スレッチ性を損ねない程度に１７０〜２００℃の温度で熱セットを施すことにより、立体的で補形性に優れたヒップパットＰを提供することができる。
【００６０】
また、上記パット本体１の表裏両面を被覆する布地、特に表地２ａとしては、パット本体の形状が衣服の外形に直接現れてしまって、外形に響くことがないようなある程度の腰（弾性及び剛性）とすべり、及び通気性を有する伸縮性の素  材、例えばスパンデックス（ポリウレタン）及びポリエステル系弾性糸を基本編成とする熱セット性が高い合成繊維の交編又は織物（特にサテン地）地等が用いられる。また、裏地２ａとしては、構成によっては（パット本体に準じる形状の場合）、肌当たりと通気性や吸湿性を有する素材、例えば、表地と同様スパンデックス等のストレッチ糸を基本編成とする合成繊維及び綿の混紡・交編又はシルク混であっても良い。その際、スパンデックスは、例えば、ストレッチ性をもたせる編物及び織物での芯糸となるものが用いられる。但し、上記スパンデックスは、編組織を構成する糸そのものとして使用しても良い。
【００６１】
上記の如く構成されるヒップパットＰを製造するには、パット本体１、表地２ａ及び裏地２ｂをそれぞれ別個に用意してこれらを適当な接着剤で貼り合わせるか縫い合わせても良いが、好ましくは表地２ａ及び裏地２ｂにラミネート加工を施してその内面側に耐洗濯性及び耐溶剤性を有すると共に加熱圧縮することにより接着性を発揮するフィルム層３を形成し、このフィルム層３を利用してパット本体１を表地２ａ及び裏地２ｂで被覆する方法が用いられる。すなわち、内面にフィルム層３を有する表地２ａ及び裏地２ｂでパット本体１を被覆した後、これらの表地２ａ及び裏地２ｂとパット本体１とをプレス金型内にセットし、温度１５０〜３００℃及び圧力１〜７ｋｇ／ｃｍ２  で加熱プレス成形加工することによって３次元形状に成形すると同時に、表地２ａ及び裏地２ｂとパット本体１とを接着することによって製造される。こうすることによって、ヒップパットＰは、人体のヒップ部４に立体的にフィットする形状であって、しかもパット本体１の外縁が着用時に表着５に響かないように、厚みが自然な感じで薄くなるように成形され、ヒップパットＰの少なくとも外縁部は、表地２ａ及び裏地２ｂの２枚の布地のみからなるように構成される。
【００６２】
さらに、上記ヒップパットＰの外縁部は、図１に示すように、パット本体１を被覆する表地２ａと裏地２ｂの大きさを異ならせ、表地２ａを裏地２ｂよりも若干大きく形成することによって、ヒップパットＰの外縁部においてパット本体１及び表地２ａと裏地２ｂとの各裁断面が互いにずれるように設定することによ  り、断層を少なくすることができ、ヒップパットＰの外縁部をより一層自然な感じで薄くすることができ、ヒップパットＰの形状が表着５に響くのを確実に防止することができる。
【００６３】
また、上記ヒップパットＰは、体形に応じて、パット本体１ａと１ｂとを分割して、一方のみを使用することができる。
【００６４】
しかし、これに限定されるものではなく、上記ヒップパットＰは、パット本体１に裏地２ｂのみを上述したように成形同時接着しておくとともに、腰のあるストレッチ素材からなる表地２ａを、ヒップパットＰの外形に予めモールド成形しておき、表地２ａの内面に成形同時接着されたパット本体１と裏地２ｂとを位置決めして、裏地２ｂの外縁部を表地２ａに縫い止めすることによって製造しても良い。
【００６５】
さらに、上記パット本体１は、図１０に示すように、ガードル８０と一体的に使用する場合には、ガードル８０の生地８１を、図１１に示すように、オス型８２とメス型８３を用いて熱セットすることによって、ヒップ型に成形するのが望ましい。こうすることによって、ヒップパットＰをガードル８０の生地８１の張力によって変形させることがなく、ヒップパットＰの形状を維持することができる。
【００６６】
上記の如く構成されるヒップパットＰは、図２に示すように、その上部に設けられた引っ掛け用の金具９０によって、ガードルやパンティ等の上端縁に引っ掛けることによって使用される。また、上記パット本体１を収容する表地２ａと裏地２ｂとは、袋状に形成されているとともに、表側の上部にパット本体１を着脱する開口部９１が設けられている。さらに、上記裏地２ｂは、表側に折り返されており、開口部９１を覆っている。
【００６７】
また、上記ヒップパットＰは、図１２に示すように、その上端部に縫着したベルト６を、ヒップパットが体のヒップ部の所定位置に来るように腰に巻いた状態で、ベルト６の両端をマジックファスナー（登録商標）７によって固定することにより使用される。
【００６８】
また、上記ヒップパットＰは、図１３に示すように、その外面及び内面の一方又は双方を容易に着脱可能な止着手段２０を介して衣服５の内側又は外側に装着するように構成しても良い。
【００６９】
すなわち、この実施例では、ヒップパットＰの上端部に、図１３に示すよう  に、その外面に止着手段としてのマジックファスナー（登録商標）２０が固着されている。このマジックファスナー（登録商標）２０は、図１４に示すように、小さい鉤形状の部材を多数密に植設した部材２１と、ループ状の起毛を多数密に植設した部材２２とから構成されている。そして、上記ヒップパットＰの上端部外面には、小さい鉤形状の部材を多数密に植設した部材２１が、３箇所接着あるいは縫着等の手段によって固着されている。また、ヒップパットＰを装着するガードル等の衣服５の内面には、図１５に示すように、ヒップパットＰの装着位置に対応した位置に、ループ状の起毛を多数密に植設した部材２２が、やはり３つ接着あるいは縫着等の手段によって固着されている。
【００７０】
このように、衣服の内側にループ状の起毛を多数密に植設した部材２２を配置し、ヒップパットＰの外面に小さい鉤形状の部材を多数密に植設した部材２１を配置することによって、ヒップパットＰを取り外した状態で体に直接接触する衣服等を着用しても、体に接触する部分にはループ状の起毛を多数密に植設した部材２２が位置するため、肌に柔らかく当たり装着感が良好になる。
【００７１】
なお、この実施例に係るヒップパットＰは、次のようにして使用される。すなわち、ヒップパットＰを使用するには、図１６に示すように、ヒップパットＰの外面上端部に固着されたマジックファスナー（登録商標）２０を介して、ヒップパットＰを衣服の内面の所定の位置に装着する。そして、ヒップパットＰによって女性の体型を矯正し、ヒップ部の形態を整えて美しいヒップラインを形成することができ、また同時に保温効果を発揮することができる。
【００７２】
また、ヒップパットＰは、衣服２３の内面に一体的に装着されているため、衣服２３を着脱するときは衣服２３と一体的に着脱することができ、トイレ等を使用する際にヒップパットＰを単独で着脱する必要がないので、使用時に邪魔になることがない。
【００７３】
さらに、ヒップパットＰを取り外すには、マジクファスナー２０を介して衣服２３から外せば良く、ヒップパットＰの取り外しが容易に行える。また、ヒップパットＰを取り外した状態では、衣服２３の内面には、マジックファスナー（登録商標）のうちループ状の起毛を多数密に植設した部材２２が位置するため、衣服２３を直接体の上に着用した場合でも、体には、マジックテープ（登録商標）のうちループ状の起毛を多数密に植設した部材２２が接触するため、肌に柔らかく当たり装着感が良好になる。
【００７４】
また、上記ヒップパットＰは、図１７に示すように、表着３０と内衣３１（ガードル又はショーツ等）の間に装着しても、図１８に示すように、表着３０及び内衣３１の内側（但し、ガードルとショーツの間に装着することを含む）に装着しても良い。
【００７５】
さらに、ヒップパットＰを衣服３１（ガードル等）に直接縫い止めする場合には、図１９に示すように、表地２ａをパット本体１に準ずる大きさとするとともに、裏地２ｂを逆にガードル等の衣服３１の背面部３１ｂに対応した大きさとして、ヒップパットＰの表地２ａ及び裏地２ｂを衣服３１の内側に接着又は縫着するように構成しても良い。
【００７６】
その際、上記ヒップパットＰの外縁部は、図２０に示すように、パット本体１を被覆する表地２ａと裏地２ｂの大きさを異ならせ、表地２ａは、ガードル等の衣服３１の内面形状に略沿った形状に大きく形成するとともに、裏地２ｂは、パット本体１よりも若干大きい形状に形成することによって、ガードル等の衣服３１に縫着されたヒップパットＰの外縁部において、図２０に示すように、パット本体１及び表地２ａと裏地２ｂとの各裁断面が互いにずれるように設定することにより、断層を少なくすることができ、ヒップパットＰの外縁部をより一層自然な感じで薄くすることができ、ヒップパットＰの形状が衣服３１に響くのを確実に防止することができる。
【００７７】
実施の形態２
図２１乃至図２３はこの発明の実施の形態２を示すものであり、前記実施の形態１と同一の部分には同一の符号を付して説明すると、この実施の形態２では、発泡体が、特性又は材質の異なる複数の発泡体を積層して構成されている。
【００７８】
すなわち、この実施の形態２では、図２１及び図２２に示すように、発泡体４０として、１種類の材質からなるものではなく、弾性率や発泡率等が異なる２種類以上の発泡体（図示例では、２層）を積層したものが用いられている。これらの２層の発泡体は、互いに接着されていても、接着されていなくても良い。この実施の形態では、発泡体４０が、ソフトな発泡体４０ａとハードな発泡体４０ｂとから構成されている。
【００７９】
そして、上記２層構造の発泡体４０をメス型５１及び受け型５２と、パット本体１の外側の形状を決めるオス型５３との間に配置した後、図２３（ａ）に示すように、オス型５３を発泡体４０を介してメス型５１側に圧縮するように移動させ、メス型５１と受け型５２との間をカッター５５によって水平にカットすることにより、発泡体４０ｂの表面にパット本体１の内形に対応した凹所４１を形成する。その後、図２３（ｂ）に示すように、上記凹所４１が形成された発泡体４０を、再度メス型５１及び受け型５２と、パット本体１の外側の形状を決めるオス型５３との間に配置した後、オス型５３を発泡体４０を介してメス型５１側に１回目の圧力ａよりも高い圧力ｂで圧縮するように移動させ、発泡体４０の表面にパット本体１の外形に対応した凹所４３を形成する。こうすることによって、図２１に示すような発泡体４０が形成される。
【００８０】
この場合には、１回のスライス工程によって、パット本体１が形成される。
【００８１】
こうすることによって、パット本体１の表面側がソフトで裏面側がハードなヒップパットＰを提供することができる。
【００８２】
その他の構成及び作用は、前記実施の形態と同様であるので、説明を省略す  る。
【００８３】
実施の形態３
図２４乃至２６はこの発明の実施の形態３を示すものであり、前記実施の形態１と同一の部分には同一の符号を付して説明すると、この実施の形態３では、発泡体が、特性又は材質の異なる複数の発泡体を積層して構成されており、しかも前記材質の異なる複数の発泡体は、別々のスライス工程によって形成されるように構成されている。
【００８４】
すなわち、この実施の形態３では、図２４に示すように、発泡体４０が、特性又は材質の異なる複数の発泡体を積層して構成されている。なお、上記発泡体  は、３層以上に形成しても良い。
【００８５】
上記パット本体１は、図２５に示すように、内側のパット本体１ｂを構成する発泡体４１のスライス工程と、図２６に示すように、外側のパット本体１ａを構成する発泡体４２のスライス工程とによって形成されている。
【００８６】
その際、上記ｊｋじｋ  内側のパット本体１ｂを構成する外側の形状４５と、外側のパット本体１ａを構成する内側の形状４６とが同形状に設定されており、２つに分割自在に形成されたパット本体１は、互いに接合される面が同一形状に形成されている。
【００８７】
その他の構成及び作用は、前記実施の形態と同様であるので、説明を省略す  る。
【００８８】
実施の形態４
図２７乃至図２９はこの発明の実施の形態４を示すものであり、前記実施の形態１と同一の部分には同一の符号を付して説明すると、この実施の形態４では、女性用パットとして、バストパットに適用するように構成されている。
【００８９】
すなわち、この実施の形態４では、図２７に示すように、パット本体１が左右のバストパットＰが一体的に構成されているが、左右別々に形成しても勿論よ  い。また、上記パット本体１は、図２８に示すように、ブラジャー９０の裏のポケット口９２より着脱自在に挿入されるようになっている。また、上記バストパットＰは、図２９に示すように、周縁部がテーパ状に薄く形成されており、アウターにパットのラインが出ないように構成されている。
【００９０】
その他の構成及び作用は、前記実施の形態と同様であるので、説明を省略す  る。
【００９１】
【発明の効果】
この発明は、以上の構成及び作用よりなるもので、立体的形状とストレッチ構造を採用することによって、より一層人体のヒップ部に馴染み易く、装着感及び整形性が良好であって、しかも着用状況が表着に響くことがないのは勿論のこ  と、通気性、速乾性、吸汗性に優れ、且つ、スレッチ性が良く、軽くてソフトな女性用パットを提供することができる。
【００９２】
さらに、この発明によれば、女性用パットの厚みを容易に調整することがで  き、個々の体型に対応することができ、整形性に優れた女性用パットを提供することができる。
【図面の簡単な説明】
【図１】図１はこの発明の実施の形態１に係る女性用パットを示す断面構成図である。
【図２】図２はこの発明の実施の形態１に係る女性用パットのパット体を示す外観構成図である。
【図３】図３はこの発明の実施の形態１に係る女性用パットの使用例を示す構成図である。
【図４】図４はこの発明の実施の形態１に係る女性用パットを示す断面構成図である。
【図５】図５はこの発明の実施の形態１に係る女性用パットのパット体を構成する発泡体を示す構成図である。
【図６】図６はこの発明の実施の形態１に係る女性用パットのパット体の製造工程を示す説明図である。
【図７】図７はこの発明の実施の形態１に係る女性用パットのパット体の製造工程を示す説明図である。
【図８】図８はこの発明の実施の形態１に係る女性用パットのパット体の製造工程を示す説明図である。
【図９】図９はこの発明の実施の形態１に係る女性用パットのパット体の製造工程を示す説明図である。
【図１０】図１０はこの発明の実施の形態１に係る女性用パットを適用したガードルを示す構成図である。
【図１１】図１１はこの発明の実施の形態１に係る女性用パットを適用したガードルの製造工程を示す説明図である。
【図１２】図１２はこの発明の実施の形態１に係る女性用パットの装着状態を示す説明図である。
【図１３】図１３はこの発明の実施の形態１に係る女性用パットの装着状態を示す説明図である。
【図１４】図１４はこの発明の実施の形態１に係る女性用パットの装着状態を示す説明図である。
【図１５】図１５はこの発明の実施の形態１に係る女性用パットの装着状態を示す説明図である。
【図１６】図１６はこの発明の実施の形態１に係る女性用パットの装着状態を示す説明図である。
【図１７】図１７はこの発明の実施の形態１に係る女性用パットの装着状態を示す説明図である。
【図１８】図１８はこの発明の実施の形態１に係る女性用パットの装着状態を示す説明図である。
【図１９】図１９はこの発明の実施の形態１に係る女性用パットの装着状態を示す説明図である。
【図２０】図２０はこの発明の実施の形態１に係る女性用パットの装着状態を示す説明図である。
【図２１】図２１はこの発明の実施の形態２に係る女性用パットを示す構成図である。
【図２２】図２２はこの発明の実施の形態２に係る女性用パットのパット体を構成する発泡体を示す構成図である。
【図２３】図２３はこの発明の実施の形態２に係る女性用パットのパット体の製造工程を示す説明図である。
【図２４】図２４はこの発明の実施の形態３に係る女性用パットを示す構成図である。
【図２５】図２５はこの発明の実施の形態３に係る女性用パットのパット体の製造工程を示す説明図である。
【図２６】図２６はこの発明の実施の形態３に係る女性用パットのパット体の製造工程を示す説明図である。
【図２７】図２７はこの発明の実施の形態４に係る女性用パットを示す構成図である。
【図２８】図２８はこの発明の実施の形態４に係る女性用パットを適用したブラジャーを示す構成図である。
【図２９】図２９はこの発明の実施の形態４に係る女性用パットを適用したブラジャーを示す構成図である。
【図３０】図３０はこの発明の女性用パットに使用可能な表地及び裏地を示す組織図である。
【図３１】図３１はこの発明の女性用パットに使用可能な表地及び裏地を示す組織図である。
【図３２】図３２はこの発明の女性用パットに使用可能な表地及び裏地を示す組織図である。
【図３３】図３３はこの発明の女性用パットに使用可能な表地及び裏地を示す組織図である。
【図３４】図３４はこの発明の女性用パットに使用可能な表地及び裏地を示す組織図である。
【図３５】図３５はこの発明の女性用パットを示す構成図である。
【図３６】図３６はこの発明の女性用パットの使用状態を示す構成図であ  る。
【図３７】図３７はこの発明の女性用パットの装着状態を示す構成図であ  る。
【図３８】図３８は従来の女性用パットを示す構成図である。
【図３９】図３９は従来の女性用パットを示す構成図である。
【符号の説明】
Ｐ：ヒップパット、１ａ、１ｂ：パット本体、２ａ：表地、２ｂ：裏地、４  ０：発泡体。
【図１】
2005023459.tif 000003
【図２】
2005023459.tif 000004
【図３】
2005023459.tif 000005
【図４】
2005023459.tif 000006
【図５】
2005023459.tif 000007
【図６】
2005023459.tif 000008
【図７】
2005023459.tif 000009
【図８】
2005023459.tif 000010
【図９】
2005023459.tif 000011
【図１０】
2005023459.tif 000012
【図１１】
2005023459.tif 000013
【図１２】
2005023459.tif 000014
【図１３】
2005023459.tif 000015
【図１４】
2005023459.tif 000016
【図１５】
2005023459.tif 000017
【図１６】
2005023459.tif 000018
【図１７】
2005023459.tif 000019
【図１８】
2005023459.tif 000020
【図１９】
2005023459.tif 000021
【図２０】
2005023459.tif 000022
【図２１】
2005023459.tif 000023
【図２２】
2005023459.tif 000024
【図２３】
2005023459.tif 000025
【図２４】
2005023459.tif 000026
【図２５】
2005023459.tif 000027
【図２６】
2005023459.tif 000028
【図２７】
2005023459.tif 000029
【図２８】
2005023459.tif 000030
【図２９】
2005023459.tif 000031
【図３０】
2005023459.tif 000032
【図３１】
2005023459.tif 000033
【図３２】
2005023459.tif 000034
【図３３】
2005023459.tif 000035
【図３４】
2005023459.tif 000036
【図３５】
2005023459.tif 000037
【図３６】
2005023459.tif 000038
【図３７】
2005023459.tif 000039
【図３８】
2005023459.tif 000040
【図３９】
2005023459.tif 000041